(57)【要約】【課題】開閉の際に軸となる伸縮軸が一つのみであると、開閉パネルの自重により開閉パネルが垂れ下がり、開閉パネルが収納ユニット等の本体に対して歪んで面するために、開閉パネルがスムーズに開閉できない、収納ユニット等の外観が損なわれる等の問題があった。【解決手段】  収納ユニット１０は、開口部１１を有する本体１と、開閉パネル２と、本体１と開閉パネル２とを連結するための第１および第２のヒンジ部３０Ｒ、３０Ｌとを有する。第１および第２のヒンジ部３０Ｒ、３０Ｌは開口部１１の左右に平行に設けられており、ヒンジ部３０Ｒ、３０Ｌは本体１に設けられた対向する２つのプランジャ等と、開閉パネル２に設けられ、２つのプランジャ３１ａ、３１ｂの間に係合する凹部４１ａ、４１ｂとを有する。【選択図】図１
2012031625.tif 000002
【特許請求の範囲】
【請求項１】
開口部を有する本体と、前記開口部を開状態または閉状態にするための開閉パネルと、対向する第１および第２の回動軸上にそれぞれ位置し、前記本体と前記開閉パネルとを連結するための第１および第２のヒンジ部と、を有する収納ユニットであって、
前記第１および第２のヒンジ部は、対向する一対の係合部をそれぞれ有し、さらに、
前記一対の係合部は、前記回動軸の軸方向に付勢される凸部と、前記開閉パネルの閉状態において前記凸部と係合する凹部とをそれぞれ含むとともに、前記一対の係合部のそれぞれにおいて、前記凸部と前記凹部の一方は前記本体に設けられ他方は前記開閉パネルに設けられており、
前記第１および第２のヒンジ部のいずれか一方において前記一対の係合部の係合状態が解除された場合、他方に対応する回動軸を中心に前記開閉パネルが回動可能になることを特徴とする収納ユニット。
【発明の詳細な説明】
【技術分野】
【０００１】
本発明は、電子機器等を収納する収納ユニットの開閉パネル等の開閉構造に関する。
【背景技術】
【０００２】
放送用ヘッドアンプ等を収納するための収納ユニットの開閉パネルは、その片方の端が収納ユニット本体に蝶番で固定されているのが一般的である。よって、開閉パネル等が開閉する際、開く方向は左方向もしくは右方向のいずれか一方に固定される。図５（ａ）は従来の収納ユニットが２台並べられた場合の平面図であり、図５（ｂ）は正面図である。図５に示すように、収納ユニット９０Ａ、９０Ｂが並べて設置されている場合、隣りあった２台の収納ユニット９０Ａ、９０Ｂの開閉パネル９１Ａ、９１Ｂを開けたまま保守点検する際に、開いた開閉パネルが邪魔となる場合があり、作業効率の低下を招くという問題があった。
【０００３】
このような問題に対して、例えば特許文献１に記載の配電盤の扉においては、扉の左右の端に蝶番を設け、この蝶番部分を配電盤の筐体に対して着脱可能とすることで、左右のいずれにも開閉することを可能としている。
【先行技術文献】
【特許文献】
【０００４】
【特許文献１】実開平５−１５６０５号公報
【発明の概要】
【発明が解決しようとする課題】
【０００５】
しかしながら、特許文献１に記載の扉の構造では、開閉の際に開閉パネルの回動軸となる伸縮軸が一つのみである。よって、開閉パネルの自重により開閉パネルが垂れ下がり、開閉パネルが収納ユニット等の本体に対して歪んで面するために、開閉パネルがスムーズに開閉できない、収納ユニット等の外観が損なわれる等の問題があった。
【０００６】
そこで、本発明は、上記課題を解決するために、開閉パネルの自重による垂れ下がりに起因する開閉パネルの歪み等を防止し、開閉パネルの上下位置を調整することが可能な収納ユニットを提供することを目的とする。
【課題を解決するための手段】
【０００７】
上記課題を解決するために、本発明は、開口部を有する本体と、前記開口部を開状態または閉状態にするための開閉パネルと、対向する第１および第２の回動軸上にそれぞれ位置し、前記本体と前記開閉パネルとを連結するための第１および第２のヒンジ部と、を有する収納ユニットであって、前記第１および第２のヒンジ部（例えば、図２の第１のヒンジ部３０Ｒおよび第２のヒンジ部３０Ｌ）は、対向する一対の係合部（例えば、図２の球体３３ａおよび凹部４１ａと、球体３３ｂおよび凹部４１ｂ）をそれぞれ有し、さらに、前記一対の係合部は、前記回動軸の軸方向に付勢される凸部（例えば、図２の球体３３ａ、３３ｂ）と、前記開閉パネルの閉状態において前記凸部と係合する凹部（例えば、図２の凹部４１ａ、４１ｂ）とをそれぞれ含むとともに、前記一対の係合部のそれぞれにおいて、前記凸部と前記凹部の一方は前記本体に設けられ他方は前記開閉パネルに設けられており、前記第１および第２のヒンジ部のいずれか一方において前記一対の係合部の係合状態が解除された場合、他方に対応する回動軸を中心に前記開閉パネルが回動可能になることを特徴とする収納ユニットを提案する。
【０００８】
開閉パネルは、その自重により鉛直方向へ垂れ下がるが、一対の係合部が回動軸上に対向するように設けられることにより、開閉パネルの本体に対する歪みが解消され、開閉パネルがスムーズに開閉される。また、収納ユニットの外観も保たれる。
【発明の効果】
【０００９】
以上説明したように、本発明によれば、開閉パネルを左右方向のいずれにも開閉できるとともに、本体において、対向する一対の係合部が設けられたことによって、開閉パネルの自重による垂れ下がりに起因する歪み等を防止し、開閉パネルをスムーズに開閉することができる。
【図面の簡単な説明】
【００１０】
【図１】収納ユニットの平面図および正面図である。
【図２】第１のヒンジ部３０Ｒの構成例を説明する図である。
【図３】メスベース３Ｒおよびオスベース４Ｒの斜視図である。
【図４】収納ユニットが２台並べられた場合を示す図である。
【図５】従来の収納ユニットが２台並べられた場合を示す図である。
【発明を実施するための形態】
【００１１】
以下、本発明の実施の形態について図面を参照しながら説明する。なお、以下に参照する各図においては、同等部分は同一符号により示す。
【００１２】
（収納ユニットの構造）
本実施形態に係る収納ユニットの構造について、図１を用いて説明する。図１（ａ）は本実施形態に係る収納ユニットの平面図であり、図１（ｂ）は矢印Ｙ１方向から見た正面図である。
【００１３】
図１に示される収納ユニット１０は、開口部１１を有する本体１と、本体１の開閉パネル２と、を有する。
【００１４】
本体１は、直方体形状であり、その一面に長方形の開口部１１を有する。また、本体１は、その内部にヘッドアンプ等の電子機器を収納する空間を有する。開閉パネル２は、本体１の開口部１１と略同一形状であり、開口部１１を開状態または閉状態にするためのパネルである。
【００１５】
また、収納ユニット１０は、対向する第１および第２の回動軸上にそれぞれ位置し、本体１と開閉パネル２とを連結するための第１のヒンジ部３０Ｒおよび第２のヒンジ部３０Ｌとを有する。ここで、回動軸とは、開閉パネル２が開閉される際の回動中心軸である。例えば、開閉パネル２が閉状態から図１（ａ）の位置Ｒまで開く際は、調整ねじ３２ａの回動の中心軸が回動軸となる。本実施形態においては、第１のヒンジ部３０Ｒと第２のヒンジ部３０Ｌは回動軸が互いに平行、すなわち、第１のおよび第２の回動軸は互いに平行となっている。ただし、第１および第２の回動軸は平行でなくともよい。例えば、ハの字型等になっていてもよい。
【００１６】
さらに、本実施形態においては、第１および第２の回動軸は互いに平行かつ本体１の上面に対して垂直であるが、本体１の上面に対して垂直になっていなくともよい。第１および第２の回動軸が本体１の上面に対して垂直となっていなくとも（すなわち、第１のヒンジ部３０Ｒおよび第２のヒンジ部３０Ｌの回動軸が本体１の上面に対して垂直になっていなくとも）、開閉パネル２はいずれかの回動軸を軸として回動可能だからである。
【００１７】
また、本体１には、開口部１１の左右に第１のヒンジ部３０Ｒ、第２のヒンジ部３０Ｌの一部をそれぞれ構成するメスベース３Ｒ、３Ｌが設けられている。また、開閉パネル２の左右には、第１および第２のヒンジ部３０Ｒ、３０Ｌの一部を構成し、本体１のメスベース３Ｒ、３Ｌに係合されるオスベース４Ｒ、４Ｌが設けられている。
【００１８】
また、オスベース４Ｒ、４Ｌには、それぞれ、開閉パネル２を開閉操作する際に、操作者が指でつまむためのツマミねじ５Ｒ、５Ｌがそれぞれ設けられている。また、ツマミねじ５Ｒ、５Ｌを回転させて矢印Ｙ１の方向（開閉パネル２に対して垂直の方向）に奥まで締められることで、開閉パネル２は本体１に固定される。
【００１９】
（ヒンジ部の構成）
図２は、第１のヒンジ部３０Ｒの構成例を説明する図である。なお、第１のヒンジ部３０Ｒと第２のヒンジ部３０Ｌは構造上、左右対称であるので、ここでは収納ユニット１０の右側に設けられる第１のヒンジ部３０Ｒの構成について説明し、第２のヒンジ部３０Ｌの説明は省略する。図２（ａ）は第１のヒンジ部３０Ｒの平面図であり、図２（ｂ）は矢印Ｙ２ａの方向から見た第１のヒンジ部３０Ｒの正面図である。
【００２０】
また、図２（ｃ）〜（ｅ）はオスベース４Ｒの構成を説明する図であり、図２（ｃ）はオスベース４Ｒの平面図、図２（ｄ）は矢印Ｙ２ｂの方向から見たオスベース４Ｒの側面図、図２（ｅ）は矢印Ｙ２ａの方向から見たオスベース４Ｒの正面図である。
【００２１】
また、図２（ｆ）〜（ｈ）はメスベース３Ｒの構成を説明する図であり、図２（ｆ）はメスベース３Ｒの平面図、図２（ｇ）は矢印Ｙ２ｂの方向から見たメスベース３Ｒの側面図、図２（ｈ）は矢印Ｙ２ａの方向から見たメスベース３Ｒの正面図である。
【００２２】
また、図３は、メスベース３Ｒおよびオスベース４Ｒの斜視図である。
【００２３】
（メスベース）
図２（ｆ）〜（ｈ）を参照すると、メスベース３Ｒは、２つのプランジャ３１ａ、３１ｂを有する。プランジャ３１ａ、３１ｂは、それぞれ、その一端に球体３３ａ、３３ｂが設けられ、他端に調整ねじ３２ａ、３２ｂが設けられている。球体３３ａと調整ねじ３２ａとの間、球体３３ｂと調整ねじ３２ｂとの間には、それぞれ、圧縮ばね３５ａ、３５ｂが設けられている。
【００２４】
また、圧縮ばね３５ａの一端は球体３３ａに、他端は調整ねじ３２ａにそれぞれ接触している。同様に、圧縮ばね３５ｂの一端は球体３３ｂに、他端は調整ねじ３２ｂにそれぞれ接触している。このため、調整ねじ３２ａは、時計回りに回転させると球体３３ａとの間隔が短くなり、圧縮ばね３５ａによる、調整ねじ３２ａから球体３３ａへ向かう方向に付勢する押圧力が増加する。逆に、調整ねじ３２ａを反時計回りに回転させると球体３３ａとの間隔が長くなり、圧縮ばね３５ａによる、調整ねじ３２ａから球体３３ａへ向かう方向に付勢する押圧力が減少する。
【００２５】
調整ねじ３２ｂを時計回り、または反時計回りに回転させた場合も同様である。つまり球体３３ａ、３３ｂは、回動軸の軸方向に付勢される。また、プランジャ３１ａ、３１ｂは、それぞれの球体３３ａ、３３ｂが対向して配置されている。
【００２６】
（オスベース）
図２（ｃ）〜（ｅ）を参照すると、オスベース４Ｒは、ツマミねじ５Ｒと、凹部４１ａ、４１ｂが設けられている。凹部４１ａ、４１ｂは、開閉パネル２の閉状態において、それぞれ、プランジャ３１ａ、３１ｂの球体３３ａ、３３ｂの一部が係合するようになっている。つまり、プランジャ３１ａの球体３３ａと凹部４１ａ、プランジャ３１ｂの球体３３ｂと凹部４１ｂはそれぞれ係合部を構成する。
【００２７】
上述したように、第１のヒンジ部３０Ｒおよび第２のヒンジ部３０Ｌのいずれか一方において、球体３３ａと凹部４１ａ、球体３３ｂと凹部４１ｂからなる一対の係合部の係合状態が解除されることにより、他方の対応する回動軸を中心に開閉パネル２が回動可能となる。ここで、「他方の対応する回動軸」とは、係合状態が解除された係合部を有する第１または第２のヒンジ部３０Ｒ、３０Ｌが位置する回動軸とは異なる方の回動軸を指す。例えば、第１のヒンジ部３０Ｒの球体３３ａおよび凹部４１ａと、球体３３ｂおよび凹部４１ｂとからなる一対の係合部の係合状態が解除されて、図１において開閉パネル２が左に回動する場合には、第２のヒンジ部３０Ｌの回動軸が「他方の対応する回動軸」となる。
【００２８】
（開閉パネルの開閉動作）
図１において、例えば、開閉パネル２の左側の第２のヒンジ部３０Ｌを軸として開閉パネル２を左に開く場合には、左右のツマミねじ５Ｒ、５Ｌを緩め、ツマミねじ５Ｒを指などでつまんで手前に強く引く。すると、弾性体であるプランジャ３１ａ、３１ｂが縮んで、球体３３ａ、３３ｂが凹部４１ａ、４１ｂから外れて球体３３ａと球体３３ｂの間隔が広がる。さらにツマミねじ５Ｒを引くと、オスベース４Ｒとメスベース３Ｒとの係合状態が完全に解除される。なお、以上の場合では、ヒンジ部３０Ｌの調整ねじ３２ｃの回動の中心軸が回動軸となる。
【００２９】
また、開閉パネル２を右に開く場合は、上記と同様に操作を行う。すなわち、ツマミねじ５Ｌを指などで強く引くと、第２のヒンジ部３０Ｌを構成するプランジャが縮むことで、第２のヒンジ部３０Ｌを構成するオスベースとメスベースの係合状態が解除される。この場合では、ヒンジ部３０Ｒの調整ねじ３２ａの回動の中心軸が回動軸となる。
【００３０】
なお、開く方向を左右のいずれかに固定したい場合には、右の調整ねじ３２ａおよび３２ｂ、もしくは左の調整ねじ３２ｃ等を限界まで締め込むことにより、第１のヒンジ部３０Ｒもしくは第２のヒンジ部３０Ｌを固定ヒンジとして使用することができる。
【００３１】
また、例えば、開閉パネル２の左側の第２のヒンジ部３０Ｌを軸として開閉パネル２を右に閉める場合には、ツマミねじ５Ｒをつまんで、オスベース４Ｒをメスベース３Ｒに押しつけるようにする。すると、オスベース４Ｒによってプランジャ３１ａ、３１ｂの球体３３ａ、３３ｂが調整ねじ３２ａ、３２ｂの方向へ押されることで、弾性体であるプランジャ３１ａ、３１ｂが縮んで、球体３３ａと球体３３ｂの間隔が広がる。さらにオスベース４Ｒをメスベース３Ｒに押し込むと、球体３３ａ、３３ｂがそれぞれ凹部４１ａ、４１ｂに入り込むと同時に、プランジャ３１ａ、３１ｂが復元力によって伸長することにより、球体３３ａと凹部４１ａ、球体３３ｂと凹部４１ｂが、それぞれ係合される。
【００３２】
また、この時、ツマミねじ５Ｒの先端は、メスベース３Ｒに設けられた穴３４Ｒに嵌められる。また、ツマミねじ５Ｒの先端を穴３４Ｒに嵌めた状態でツマミねじ５Ｒを強く締め付ければ、開閉パネル２は本体１に固定される。また、開閉パネルを左に閉める場合は、オスベース４Ｌに対してメスベース３Ｌを同じように操作すればよい。
【００３３】
（調整ねじによる調整）
開閉パネル２の自重により、開閉パネル２は鉛直方向へ垂れ下がるが、プランジャ３１ａ、３１ｂの調整ねじ３２ａ、３２ｂを締めたり緩めたりすることで、水平面に対して垂直の方向において、開閉パネル２の位置の調整が可能である。例えば、ツマミねじ５Ｒ、５Ｌの先端がメスベース３Ｒ、３Ｌの穴３４Ｒ等の中心に合うように開閉パネル２の上下位置を調整することができるため、ツマミねじ５Ｒ、５Ｌの締め付けをスムーズに行うことができる。
【００３４】
また、ツマミねじ５Ｒ、５Ｌは脱落防止構造となっているため、緩めてもオスベース４Ｒ、４Ｌから脱落することはない。
【００３５】
また、オスベース４Ｒとメスベース３Ｒ、オスベース４Ｌとメスベース３Ｌの係合（すなわち、球体３３ａおよび３３ｂ等と、凹部４１ａおよび４１ｂ等との係合）の固さや上下のバランスは、調整ねじ３２ａおよび３２ｂ等により調整することが可能である。
【００３６】
（適用例）
図４は、２台の本実施形態に係る収納ユニット１０Ａ、１０Ｂが並べられた場合を示す図である。図４（ａ）は平面図、図４（ｂ）は正面図である。図４に示されるように、隣りあった２台の収納ユニット１０Ａ、１０Ｂの開閉パネル２Ａ、２Ｂを開けたまま保守点検する場合でも、例えば、収納ユニット１０Ａの開閉パネル２Ａを左に開き、収納ユニット１０Ｂの開閉パネル２Ｂを右に開くようにすれば、作業の際、隣りの収納ユニットの開閉パネルが邪魔になることはない。
【００３７】
（まとめ）
以上説明したように、本発明によれば、開閉パネルを左右方向のいずれにも開閉できるとともに、本体において、対向するボールプランジャが設けられたことによって、開閉パネルの自重による垂れ下がりに起因する歪み等を防止し、開閉パネルをスムーズに開閉することができる。
【００３８】
（他の実施形態）
上記の実施形態においては、収納ユニット１０は直方体形状であるが、他の形状であってもよい。例えば、円筒形状等であってもよい。この場合も、本体の開口部の左右に、２つのプランジャが対向するように備えられることで、開閉パネルの自重による垂れ下がりに起因する歪み等を防止し、開閉パネルをスムーズに開閉することができる。
【００３９】
また、上記の実施形態においては、プランジャ３１ａ、３１ｂの一端（凸部）に球体３３ａ、３３ｂが設けられていたが、球体でなくとも扁球形状であってもよい。また、圧縮ばね３５ａ、３５ｂに接触している面が平面である半球体であってもよい。これらの場合であっても、メスベース３Ｒとオスベース４Ｒとの係合の際、もしくは係合が解除される際に、スムーズに凹部４１ａ、４１ｂと係合され、もしくは係合が解除されるからである。
【００４０】
（付記）
以上に、本発明に係る実施形態について詳細に説明したことからも明らかなように、上述の実施形態の一部または全部は、以下の各付記のようにも記載することができる。しかしながら、以下の各付記は、あくまでも、本発明の単なる例示に過ぎず、本発明は、かかる場合のみに限るものではない。
【００４１】
（付記１）
開口部を有する本体と、前記開口部を開状態または閉状態にするための開閉パネルと、対向する第１および第２の回動軸上にそれぞれ位置し、前記本体と前記開閉パネルとを連結するための第１および第２のヒンジ部と、を有する収納ユニットであって、前記第１および第２のヒンジ部は、対向する一対の係合部をそれぞれ有し、さらに、前記一対の係合部は、前記回動軸の軸方向に付勢される凸部と、前記開閉パネルの閉状態において前記凸部と係合する凹部とをそれぞれ含むとともに、前記一対の係合部のそれぞれにおいて、前記凸部と前記凹部の一方は前記本体に設けられ他方は前記開閉パネルに設けられており、前記第１および第２のヒンジ部のいずれか一方において前記一対の係合部の係合状態が解除された場合、他方に対応する回動軸を中心に前記開閉パネルが回動可能になることを特徴とする収納ユニット。
【００４２】
開閉パネルは、その自重により鉛直方向へ垂れ下がるが、一対の係合部が対向するように設けられることにより、開閉パネルの本体に対する歪みが解消され、開閉パネルがスムーズに開閉される。また、収納ユニットの外観も保たれる。
【００４３】
（付記２）
前記本体は、前記一対の係合部において前記本体に設けられている前記凸部または前記凹部の位置を調整するための調整ねじを有する付記１に記載の収納ユニット。
【００４４】
開閉パネルは、その自重により鉛直方向へ垂れ下がるが、対向するように設けられる一対の係合部の位置が調整ねじによって、より正確に微調整されることで、開閉パネルの本体に対する歪みが解消され、開閉パネルがスムーズに開閉される。また、収納ユニットの外観も保たれる。
【００４５】
（付記３）
前記一対の係合部のそれぞれの前記凸部は前記回動軸上で互いに向かいあうように配置されていることを特徴とする付記１又は２に記載の収納パネル。
【００４６】
開閉パネルは、その自重により鉛直方向へ垂れ下がるが、一対の係合部のそれぞれの凸部が回転軸上で対向するように設けられることにより、開閉パネルの本体に対する歪みが解消され、開閉パネルがスムーズに開閉される。また、収納ユニットの外観も保たれる。
【符号の説明】
【００４７】
１  本体
２  開閉パネル
３Ｒ、３Ｌ  メスベース
４Ｒ、４Ｌ  オスベース
５Ｒ、５Ｌ  ツマミねじ
１０  収納ユニット
１１  開口部
３０Ｒ  第１のヒンジ部
３０Ｌ  第２のヒンジ部
３１ａ、３１ｂ  プランジャ
３２ａ、３２ｂ  調整ねじ
３３ａ、３３ｂ  球体（凸部）
３４Ｒ  穴
３５ａ、３５ｂ  圧縮ばね
４１ａ、４１ｂ  凹部
９０Ａ、９０Ｂ  収納ユニット
９１Ａ、９１Ｂ  開閉パネル
【図１】
2012031625.tif 000003
【図２】
2012031625.tif 000004
【図３】
2012031625.tif 000005
【図４】
2012031625.tif 000006
【図５】
2012031625.tif 000007